(57)【特許請求の範囲】
【請求項１】
光ケーブル心線の接続部となるソケットおよびプラグからなるコネクタを収納するコネクタ収納部と、心線余長を収納する心線余長収納部とを備えた成端トレイ並びにスプリッタトレイをそれぞれクロージャ本体内に内装する光ケーブル接続用クロージャであって、複数のコネクタを着脱自在に備えた成端盤を配備して、該成端盤を経由してさらにスプリッタトレイ内のスプリッタモジュールを介して接続されるテープ心線と、ＤＳ／Ｒ・ＴＤケーブルおよびドロップケーブルとに接続されてそれぞれコネクタ接続を可能にした構成とし、これら各接続部のコネクタと余長心線部とを整理する複数の成端トレイおよび／またはスプリッタトレイが、前記クロージャ本体に設けられた該クロージャ本体の外側に向けて摺動可能なトレイ取付部に回動自在に枢着されて前記クロージャ本体内に内装され、前記複数の成端トレイおよび／またはスプリッタトレイが前記トレイ取付部と共に前記クロージャ本体の外側に引き出されたのち、前記成端トレイおよび／またはスプリッタトレイを回動させ階段状にずらせた多重状態下で傾斜保持可能とされることを特徴とする光ケーブル接続用クロージャ。
【請求項２】
請求項１に記載の光ケーブル接続用クロージャにおいて、前記成端盤が湾曲側面を持った断面コ字状部材からなり、該湾曲側面に沿ってアール状ガイドを支軸を中心として回動自在に枢支し、上面部にセンタートレイ取付部を設け、下面部にコネクタ取付部を備え、該センタートレイ取付部に固定されたセンタートレイ内に導入される心線から分離した単心線を前記アール状ガイドによって下方に沿わせ落とし込み保持して、単心線に接続されたコネクタを前記コネクタ取付部に着脱自在に備えたことを特徴とする光ケーブル接続用クロージャ。
【請求項３】
請求項１または請求項２に記載の光ケーブル接続用クロージャにおいて、前記成端盤のコネクタ取付部が、コネクタを挿脱自在に内装するコネクタソケットを着脱自在に配備できる構成とし、該コネクタソケット内にコネクタを固定するコネクタ固定部材を備えたことを特徴とする光ケーブル接続用クロージャ。
【請求項４】
請求項２または請求項３に記載の光ケーブル接続用クロージャにおいて、前記スプリッタトレイが、複数のコネクタを備えたスプリッタモジュールをトレイ内の左右両側に選択して着脱自在に設けられるトレイと、さらに心線余長を収納する収納部を有し、心線導出部を左右に振り分けて形成したトレイとの上下二層のトレイとをヒンジ部によつて開閉自在に連結した構成としたことを特徴とする光ケーブル接続用クロージャ。
【請求項５】
請求項３または請求項４に記載の光ケーブル接続用クロージャにおいて、前記スプリッタトレイが、前記成端盤に接続する心線にプラグを設けられると共に、各成端トレイに接続される複数の心線にソケットを設けたスプリッタモジュールが配備されてコネクタ接続を可能にしたスプリッタトレイに構成したことを特徴とする光ケーブル接続用クロージャ。
【請求項６】
請求項３、請求項４または請求項５に記載の光ケーブル接続用クロージャにおいて、前記成端トレイは、コネクタ収納部を左右に分けて複数備え、前記スプリッタトレイよりの心線を導入部で固定するドロップ固定部材を必要に応じ設けて、下部伸ばし成端トレイと、ＤＳ／Ｒ・ＴＤ成端トレイと、ドロップ成端トレイとして、それぞれ枢支部によってトレイ取付部に回動自在に枢着してトレイ固定ベースに複数重ねた状態で配備したことを特徴とする光ケーブル接続用クロージャ。
【請求項７】
請求項３、請求項４、請求項５または請求項６に記載の光ケーブル接続用クロージャにおいて、前記センタートレイは、フラップ取付孔を複数備え、該フラップ取付孔に心線から単心分離した単心線を結束し得るフラップを取り外し自在に設けて、単心線の心線保護と心線識別を図れるようにしたことを特徴とする光ケーブル接続用クロージャ。
【請求項８】
請求項４、請求項５、請求項６または請求項７に記載の光ケーブル接続用クロージャにおいて、前記光ケーブル心線の接続部を収納する接続部収納部と、心線余長を収納する心線余長収納部とを備えてコネクタ接続を可能にした構成の接続トレイを設けると共に、前記成端トレイを水平状態に保留する櫛歯が多段にあるトレイ収納部にトレイ取付部を摺動自在に配備して成端トレイを前後にスライドできるようにしたことを特徴とする光ケーブル接続用クロージャ。
【請求項９】
請求項４、請求項５、請求項６、請求項７または請求項８に記載の光ケーブル接続用クロージャにおいて、前記クロージャ本体に備えられる端面板が光ケーブルＡを挿入するケーブル挿通路のある延長側壁部を設け、ドロップケーブル挿通孔のあるシール部をシール部表面からドロップケーブル挿通孔まで薄肉構造に形成し、二つ割りで開閉自在のケーブルアダプタを挟持枠片によって着脱自在に装着したことを特徴とする光ケーブル接続用クロージャ。
【発明の詳細な説明】
【技術分野】
【０００１】
本発明は、通信ケーブル、特に光ファイバ心線を有する光ファイバケーブル（以下光ケーブル）の架空区間のアクセス区間において、固定配線区間の配線点やケーブル接続点における外被接続並びに架空光ケーブルと、ドロップ光ケーブルの接続のために用いられ、光ケーブルの接続部を保護して心線余長を収納し、光ケーブルからの引き落し配線および分岐接続配線の際に、他の心線に影響を与えないで単心運用でき、空いている心線はその後のユーザーの加入など必要な単心線として用いて心線使用効率を高め、需要変動にも容易に対応でき、しかも接続配線作業時の取り扱いを容易とし、その作業性を大幅に向上できる光ケーブル接続用クロージャに関するものである。
【背景技術】
【０００２】
従来から、光ケーブルの分岐、引込、接続などを行う場合、クロージャ内においてケーブル心線相互を接続すると共に、該接続部とケーブル心線の余長分とを収納するための心線接続余長収納トレイを備えたクロージャが知られている。
このクロージャは、心線幹線用光ケーブルの主ケーブルから引き出された光ケーブル心線同士或いは分岐用光ケーブルから引き出された心線とを接続する接続部が収納され、さらに接続された心線の余長部分を巻回して保護収納する心線余長収納部とを備えたものとして接続機能専用クロージャ或いはドロップ機能専用クロージャとして用いられている。（特開２００１−４２１５５号）
【０００３】
特許文献１の光ケーブル接続用クロージャは、心線用トレイがテープ心線から分岐した単心ごとに接続部と心線余長とを別個に一括収納できるドロップ用トレイに構成され、該ドロップ用トレイをクロージャ内に設けた取付部に備えたものが開示されている。
【特許文献１】特開２００１−４２１５５号公報
【発明の開示】
【発明が解決しようとする課題】
【０００４】
ところが、光ケーブルを用いた通信網では、光アクセス網の最適な配線形態とすることや、接続配線の作業性の良いこと、さらには光アクセスサービスを迅速かつ安価に提供することが要請されているのに、単心運用作業が難しく光アクセス系設備の効率的な使用や経済的な使用に十分満足するものがなく、特に、ケーブルの高密度、多心化或いは伝送高速度化が進むにつれて、容量が不足なりがちで接続分岐に伴う作業や配線整理もやりにくいといった問題が生じている。
また光ケーブルの分岐作業においては、ドロップ光ケーブルを引き落とすためには、使用不能の心線が生じて不経済となるし、心線を再度本線に戻すことも出来ないなど取り扱いも不便になり、アクセス系設備の効率的かつ経済的な使用ができないなど問題があった。
【０００５】
本発明は、これら従来の事情に鑑みてなされたものであり、光ケーブルの単心線を使用し、光ケーブルからの引き落し配線および分岐接続配線の際に、他の心線に影響を与えないで単心運用でき、空いている心線は、その後のユーザーの加入などの必要な単心線として用いて心線使用効率を高め、心線接続・収納はモジュール化しコネクタ接続可能の構成として接続作業や心線収納作業、さらには接続状況の点検補修などの保守作業を含め施工性を大幅に向上させるほか、単心に分離した心線を保護することができて、光ケーブルの有効利用が可能で、心線の下部延ばしや、架空ループ配線にも対応でき、しかも一旦分岐した心線を再度本線に戻すこともできるなど光アクセスサービスを迅速で安価に提供できるし、引き落し配線および分岐接続配線とそのコネクタ接続部とを収納するための機能が異なるトレイを回動自在で着脱自在にトレイ固定ベースに複数設けることで、機能要求に対して必要となる各トレイを簡単に増設追加増設、撤去でき取扱い簡便な架空または地上載置用の光ケーブル接続用クロージャとすることを目的とするものである。
【課題を解決するための手段】
【０００６】
上述の課題を解決するために、この発明は、光ケーブル心線の接続部としてのコネクタを収納するコネクタ収納部と、心線余長を収納する心線余長収納部とを備えた成端トレイ並びにスプリッタトレイをそれぞれクロージャ本体内に内装する光ケーブル接続用クロージャであって、複数のコネクタを着脱自在に備えた成端盤を配備して、該成端盤を経由して、さらにスプリッタモジュールを介して接続されるテープ心線とＤＳ／Ｒ・ＴＤケーブルおよびドロップケーブルとに接続されてそれぞれコネクタ接続を可能にし、これら各接続部のコネクタと余長心線部とを整理する複数の成端トレイおよび／またはスプリッタトレイが、前記クロージャ本体に設けられた該クロージャ本体の外側に向けて摺動可能なトレイ取付部に回動自在に枢着されて前記クロージャ本体内に内装され、前記複数の成端トレイおよび／またはスプリッタトレイが前記トレイ取付部と共に前記クロージャ本体の外側に引き出されたのち、前記成端トレイおよび／またはスプリッタトレイを回動させ階段状にずらせた多重状態下で傾斜保持可能とされることを特徴とした。
【０００７】
この発明は、光ケーブルの単心線を使用し、光ケーブルの心線接続、収納がモジュール化した全コネクタ化により接続作業や心線収納作業さらには、接続状況の点検補修などの保守作業を含め施工性を著しく簡便化させたものであって、引き落し配線および分岐接続配線とそのコネクタ接続部とを収納するための機能が異なる成端トレイと、スプリッタトレイとをトレイ固定ベースに複数配備して機能要求に対して必要となる各トレイを簡便に追加増設、撤去できるようにした。  
【０００８】
また、この光ケーブル接続用クロージャにおいては、キャリアチェンジなどにより他機能のトレイに切替え必要とした場合、コネクタ接続およびケーブルシールアダプタを用いることにより、従来の融着接続およびメカニカルスプライス接続時に生じた心線切り縮み心線余長処理作業をなくし作業の簡便化を図れる。
【０００９】
さらに、本発明の光ケーブル接続用クロージャの特徴は、スプリッタトレイからの心線が接続される前記成端トレイが、前記フレームに摺動自在に設けたトレイ取付部に多段状に配備されているものであって、スプリッタトレイ及び成端トレイをトレイ収納部から引き出して選んだ重合面を開放し、成端トレイ内での作業を簡便に行なうことができ作業性を大幅に向上する。
【００１０】
さらに、本発明では成端トレイが接続される前記成端盤が湾曲側面を持った断面コ字状部材からなり、該湾曲側面に沿ってアール状ガイドを支軸を中心として回動自在に枢支し、上面部にセンタートレイ取付部を設け、下面部にコネクタ取付部を備えて、該センタートレイ取付部に固定されたセンタートレイ内に導入される心線から分離した単心線、即ち主ケーブルから引き落とされる単心線またはテープ心線から分離される単心線を前記アール状ガイドによって下方に沿わせ落とし込み保持して、単心線に接続されたコネクタを前記コネクタ取付部に着脱自在に備えたことにより、心線の長手方向に複数カ所のコネクタ取付部材を備えることとなって接続失敗を考慮してコネクタ接続部を任意の位置に固定することも容易に可能で、さらにコネクタ脱着時に心線の引っ張りや屈曲の発生を抑制して、ＳＳサービス（専用線／Ｂフレッツ  ベーシック）を要望する加入者へ引き落しするため光ケーブルとドロップケーブルまたは発信ケーブルのＤＳ／Ｒ・ＴＤケーブル（以下ＤＳケーブル）とのコネクタ接続部および心線余長を確実に収納保護する。
また、成端盤のコネクタ取付部が、ガイドレールの嵌合溝と、嵌合孔と嵌合凸部との係止構成をコネクタとの接合面に対応して設けられていることで、心線着脱時に他心線への影響をなくすために各トレイの左右の心線導入口を心線毎の個別通路構造として、心線の引っ張りや屈曲の発生を抑制する安全な構成としてある。
【００１１】
また本発明では、前記スプリッタトレイが、複数のコネクタを備えたスプリッタモジュール（以下ＳＰモジュール）をトレイ内の左右両側に選択して着脱自在に設けられるトレイと、さらに心線余長を収納する収納部を有し、心線導出部を左右に振り分けて形成したトレイとの上下二層のトレイとをヒンジ部によつて開閉自在に連結した構成としたことで、光ケーブル接続用クロージャに備えられる前記スプリッタトレイ（ＳＰトレイ）が、ＰＯＮサービスを要望する加入者へ引き落すために単心ケーブルとＳＰ入力線およびＳＰ出力線とドロップケーブルまたはＤＳケーブルとのコネクタおよび心線余長ならびにＳＰモジュールを収納保護するものであって、複数のコネクタを備えたＳＰモジュールをトレイ内に取付部によって着脱自在に設けてあり、またドロップ把持具固定用の把持具ベースをトレイ両端部に設けて、左右いずれの側からでもドロップケーブルを引き出せるようにし、しかもＳＰ入力線のコネクタ接続部が左右に振り分けて固定できる構成とすると共に、心線着脱時に他心線への影響をなくすためにトレイの左右の心線導入口を心線毎の個別通路構造として心線の引っ張りや屈曲の発生を抑制する安全な構成となっている。
【００１２】
本発明の光ケーブル接続用クロージャでは、前記スプリッタトレイが、前記成端盤に接続する心線にプラグを設けられると共に、各成端トレイに接続される複数の心線にソケットを設けたスプリッタモジュールが配備されてコネクタ接続を可能にしたスプリッタトレイに構成したことで、前記ドロップ成端トレイ（ＤＳトレイ）が、配備される接続トレイ（ＳＳトレイ）或いはスプリッタトレイ（ＳＰトレイ）からの出側心線である単心線とＤＳ心線とのコネクタ接続部および心線余長を収納保護するものであって、加入者対応によりその都度、増設可能とするコネクタ固定構造でＤＳケーブル側の接続失余長吸収構造で、左右コネクタ方向への心線振り分けできるようにし、ＤＳケーブル側のコネクタを引き抜く際にも心線余長に影響を与えない安全な構成としてある。そして該ドロップ成端トレイが、枢支部のヒンジ部によって回動自在で、着脱自在にトレイ固定ベースに設けて、各心線の接続回数により生ずる心線余長差を吸収する心線余長収納部を形成し、さらにコネクタ脱着時に心線の引っ張りや屈曲の発生を抑制するようになっている。
【００１３】
本発明での成端トレイは、コネクタ収納部を左右に分けて複数備え、前記スプリッタトレイよりの心線を導入部で固定するドロップ固定部材を必要に応じ設けて、下部伸ばし成端トレイと、ＤＳ／Ｒ・ＴＤ成端トレイと、ドロップ成端トレイとして、それぞれトレイ取付部を介してトレイ固定ベースに複数重ねた状態で枢支部によって回動自在に枢着したことにより、これら成端トレイで、テープ心線ケーブルルートにクロージャを設置して単心運用するためにクロージャ中心点で切断したテープ心線と割れ入れ心線との接続部と心線余長との収納部を形成したトレイ、例えば片側最大８接続分の固定が可能で、主ケーブル側テープ心線余長をトレイ内に収納でき、上部、下部側に配備して使用するため左右対称形状の構造で、さらに４心テープ分の出口を個別ルートに分割することで識別容易なトレイとすることもできる。
さらに、前記成端トレイを水平状態に保留する櫛歯が多段にあるトレイ収納部にトレイ取付部を摺動自在に配備してスプリッタトレイおよび成端トレイを前後にスライドできるようにしたことで、各トレイ内での接続作業がし易い位置に変移させて行うことができ、且つ回動自在のトレイであるため重ねられたトレイの重合面の開放も容易で、点検、補修作業の簡便化が図れる。
【００１４】
本発明での光ケーブル接続用クロージャにおいては、前記クロージャ本体に備えられる端面板が各種ケーブルを挿入するケーブル挿通路のある延長側壁部を設け、ドロップケーブル挿通孔のあるシール部をシール部表面からドロップケーブル挿通孔まで薄肉構造に形成したことで、キャリアチェンジ時に現場で薄肉部を切り裂いてドロップケーブルを反対側の端面シールに挿着可能となって取扱易く、また作業時に前記クロージャ本体にスリーブを外すことなく開拡するスリーブの開放状態を調節できるスリーブ開放保持具を配備でき、作業側の開放状態を維持し開き具合をも連続的に可変調節可能のバンドタイプのスリーブ開放保持具を付設することもできるし、さらに前記クロージャ本体に備えられる端面板に延長側壁部を設けたことで主ケーブルやドロップケーブル等の各種ケーブルを仕分けて挿入してクロージャに収容したケーブル際の防水機能のある端面シールとして用い、ドロップケーブルおよびＤＳケーブルの防水を安全に図ることができる。  
【００１５】
なお、本発明の光ケーブル接続用クロージャは、光ケーブル心線の接続部並びに接続余長部分を保護収納する機能の異なる成端トレイをトレイ固定ベースに配備されているものであって、各トレイを係止片と係止受部とからなる係止部によって固定維持できる構成とし、またヒンジ部によって回動自在で、かつ着脱自在にトレイ取付部に複数設けると共に、クロージャ本体内に設けたフレームに固定して、且つ前記スプリッタトレイ及び前記ドロップ成端トレイを複数重ねた状態で摺動可能に配備しているので、各トレイを位置変換して配線処理でき、しかも光需要に際して任意のクロージャにて本線から必要な単心線のみを引き落としたり、本線に戻したりすることが容易にできる。
すなわち、多心光ファイバテープ心線から光ファイバ単心線に分離して１心線のみ又はそれ以上を選んで引き落しケーブルに接続して、他は引き通し光ファイバ単心線として下部に送り込めるように保有しておくことが可能となる。また接続作業に必要な余長心線は、任意のドロップ用トレイを開いて、或いは取り出したりして接続部と共に収納しておくことができる。
【００１６】
また、前記ドロップ成端トレイおよびスプリッタトレイは、多段で変位可能に配備していて、所定位置で回動自在に変換でき、接続単位で複層化したもので、心線接続部は固定しないし、心線余長も曲率半径を確保した上で取り回し収納できるので、心線余長の吸収に自由度を持たせて納められ、伝送特性に悪影響を及ぼすことがない形態で用いられる。
【発明の効果】
【００１７】
本発明は、光ケーブル心線の接続部としてのコネクタを収納するコネクタ収納部と、心線余長を収納する心線余長収納部とを備えた成端トレイ並びにスプリッタトレイをクロージャ本体内に内装すると共に、コネクタを着脱自在に複数備えた成端盤を配備して、該成端盤を経由して、さらにスプリッタモジュールを介して接続されるテープ心線とＤＳ／Ｒ・ＴＤケーブルおよびドロップケーブルとに接続されてそれぞれコネクタ接続を可能にし、これら各接続部のコネクタと余長心線部とを整理する複数の成端トレイおよび／またはスプリッタトレイが、前記クロージャ本体に設けられた該クロージャ本体の外側に向けて摺動可能なトレイ取付部に回動自在に枢着されて前記クロージャ本体内に内装され、前記複数の成端トレイおよび／またはスプリッタトレイが前記トレイ取付部と共に前記クロージャ本体の外側に引き出されたのち、前記成端トレイおよび／またはスプリッタトレイを回動させ階段状にずらせた多重状態下で傾斜保持可能とされる構成としたことにより、光ケーブルからの引き落し配線および分岐接続配線の際に、他の心線に影響を与えないで単心運用でき、空いている心線は、その後のユーザーの加入になどの必要な単心線として用いて心線使用効率を高め、心線接続・収納はモジュール化しコネクタ接続可能の構成として接続作業や心線収納作業、さらには接続状況の点検補修などの保守作業を含め施工性を大幅に向上させるほか、単心に分離した心線を保護することができて、光ケーブルの有効利用が可能で、心線の下部延ばしや、架空ループ配線にも対応でき、しかも一旦分岐した心線を再度本線に戻すこともできるなど光アクセスサービスを迅速で安価に提供できるし、引き落し配線および分岐接続配線とそのコネクタ接続部とを収納するための機能が異なるトレイを回動自在で着脱自在にトレイ固定ベースに複数も設けることも可能で、機能要求に対して必要となる各トレイを簡単に増設追加増設、撤去でき心線接続作業が著しく簡易、良好でケーブルの切り替え配線処理も楽にできて取扱い簡便なクロージャとすることができる。
【００１８】
本発明の光ケーブル接続用クロージャでは、各トレイを切り替え接続する心線が、前記コネクタソケットおよび／またはコネクタプラグを備えられるものであって、スプリッタトレイおよび／または成端トレイの各トレイをコネクタ接続を可能にした構成としたことで、光ケーブルの単心線を使用でき光ケーブルからの引き落し配線および分岐接続配線の際に、他の心線に影響を与えないで単心運用でき、空いている心線は、その後のユーザーの加入になどの必要な単心線として用いて心線使用効率を高め、心線接続・収納はモジュール化しコネクタ接続可能の構成として接続作業や心線収納作業、さらには接続状況の点検補修などの保守作業を含め施工性を大幅に向上させることができる。
【００１９】
さらに、本発明の光ケーブル接続用クロージャでは、前記成端盤が湾曲側面を持った断面コ字状部材からなり、該湾曲側面に沿ってアール状ガイドを支軸を中心として回動自在に枢支し、上面部にセンタートレイ取付部を設け、下面部にコネクタ取付部を備え、該センタートレイ取付部に固定されたセンタートレイ内に導入される心線から分離した単心線を前記アール状ガイドによって下方に沿わせ落とし込み保持して、単心線に接続されたコネクタを前記コネクタ取付部に着脱自在に備えたことにより、コネクタ脱着時に心線の引っ張りや屈曲の発生を抑制でき単心分離作業時での心線も見やすく配線作業を容易で、迅速に行なうことができ、また単心線を安全に保護することができるし、心線の接続失敗時に短くなった心線も容易に取り付けられ、心線の引き落しや切替えができるので、心線接続作業、心線収納作業の簡素化に役立ち、単心運用のための処理、収納作業に優れた機能を発揮できる。
また、前記センタートレイは、フラップ取付孔を複数備え、該フラップ取付孔に心線から単心分離した単心線を結束し得るフラップを取り外し自在に設けて、単心線の心線保護と心線識別を図れるようにしたことで、各フラップが整列固定されているため任意のフラップに結束された残単心線によりドロップする場合、他のフラップに結束された単心線に影響がないように取り付け取り外しが容易にでき誤認作業を無くし作業性を著しく良くできる。
【００２０】
この光ケーブル接続用クロージャにおいては、前記成端盤のコネクタ取付部が、コネクタを挿脱自在に内装できるコネクタ収納ケースを嵌入しうる格子状のガイドリブと、該ガイドリブ間に形成された嵌合孔と係止孔に係止しうる係止片をコネクタソケットに対応して設けられている構成からなることで、コネクタ収納ケースを着脱自在に配備でき、該コネクタソケット内にコネクタを挿脱自在に内装してコネクタ脱着作業が簡便にできるほか、コネクタの取り付けセット後の安全性が容易に確保できるし、各トレイへの接続ケーブル或いはＳＳ接続の場合のドロップケーブルの脱落防止にも役立ち心線の引っ張りや屈曲の発生を抑制できて配線保護にも寄与できる。
【００２１】
さらに、コネクタ接続を可能にした構成のスプリッタトレイが、複数のコネクタを備えたスプリッタモジュールをトレイ内に取付部によって着脱自在に設け、さらにコネクタ脱着時に心線の引っ張りや屈曲の発生を抑制するガイドを形成したことにより、スプリッタモジュールが取り外し、取付けでトレイと別個に開放取り扱うことができ接続作業や各トレイの更新並びに増設作業も容易にできる形態で用いられる。
【００２２】
また、本発明によれば、コネクタ接続を可能にした構成の成端トレイが、心線の長手方向に複数カ所のコネクタ収納部に選定して心線を接続するコネクタを備えるものであって、コネクタ脱着時に心線の引っ張りや屈曲の発生を抑制でき単心分離作業時での心線も見やすく配線作業を容易で、迅速に行なうことができ、また単心線を安全に保護することができるし、心線の接続失敗時に短くなった心線も容易に取り付けられ、心線の引き落しや切替えができるので、心線接続作業、心線収納作業の簡素化に役立ち、単心運用のための処理、収納作業に優れた機能を発揮できる。
【００２３】
この光ケーブル接続用クロージャにおいては、前記成端盤のコネクタ取付部が、ガイドレールの嵌合溝と、嵌合孔と嵌合凸部との係止構成をコネクタとの接合面に対応して設けられていることで、コネクタ脱着作業が簡便にできるほかコネクタの取り付けセット後の安全性が容易に確保でき、各トレイへの接続ケーブル或いはＳＳ接続の場合のドロップケーブルの脱落防止にも役立ち心線の引っ張りや屈曲の発生を抑制できて配線保護にも寄与できる。
【００２４】
前記光ケーブル接続用クロージャでは、前記スプリッタトレイが、複数のコネクタを備えたスプリッタモジュールをトレイ内の左右両側に選択して着脱自在に設けられるトレイと、さらに心線余長を収納する収納部を有し、心線導出部を左右に振り分けて形成したトレイとの上下二層のトレイとをヒンジ部によつて開閉自在に連結した構成としたことで、各トレイにスプリッタモジュールと心線余長とを分離収納できて成端盤からのスプリッタ入力心線をスプリッタモジュールに接続し成端トレイに接続する配線系としての成端盤から経由して各成端トレイへの配線をし易くして整理の簡便化を図ることができ作業性の向上に寄与できる。  
【００２５】
なお、前記スプリッタトレイが、前記成端盤に接続する心線にプラグを設けられると共に、各成端トレイに接続される複数の心線にソケットを設けたスプリッタモジュールが配備されてコネクタ接続を可能にしたスプリッタトレイに構成すると、成端盤からのスプリッタ入力心線をスプリッタモジュールに接続して成端トレイに接続する配線系として簡素化され取扱も容易で作業員の接続誤処理をなくし、作業の均一性を図って品質維持をはかれる。
【００２６】
また、本発明の実施例のような光ケーブル接続用クロージャでは、前記成端トレイは、コネクタ収納部を左右に分けて複数備え、前記スプリッタトレイよりの心線を導入部で固定するドロップ固定部材を必要に応じ設けて、下部伸ばし成端トレイと、ＤＳ／Ｒ・ＴＤ成端トレイと、ドロップ成端トレイとして、それぞれトレイ取付部を介してトレイ固定ベースに複数重ねた状態で、枢支部によって回動自在に枢着すると、トレイ内において心線の接続回数により心線余長差が発生しても、その余長差を吸収する余長収納部があるため取り回し収納できるので、伝送特性に悪影響を及ぼすこともなく、心線余長収納での高信頼性が得られるし、複数に積層されたトレイの切り替えも可能でクロージャとして安全性並びに作業性を大幅に向上することができる。
【００２７】
さらに、この光ケーブル接続用クロージャでは、前記光ケーブル心線の接続部を収納する接続部収納部と、心線余長を収納する心線余長収納部とを備えてコネクタ接続を可能にした構成のスプレッタトレイおよび成端トレイを水平状態に保留する櫛歯が多段にあるトレイ収納部にトレイ取付部を摺動自在に配備して成端トレイを前後にスライドできるようにしたことにより、配線接続その他点検、補修処理作業の際に、各トレイ内での接続作業がし易い位置に変移させて行うことができ、且つ回動自在のトレイであるため重ねられたトレイの重合面の開放も容易で、点検、補修作業の簡便化が図れる。
【００２８】
また本発明では、光ケーブル接続用クロージャに備えられる端面板が光ケーブルを挿入するケーブル挿通路のある延長側壁部を設け、各種ケーブルを挿入するケーブル挿通路のある二つ割りで開閉自在のケーブルアダプタを挟持枠片によって着脱自在に装着したことにより、主ケーブルやドロップケーブル等の各種ケーブルを仕分けて挿入してクロージャに収容したケーブル際の防水機能のある端面シールとして用い、ドロップケーブルおよびＤＳケーブルの防水を図って安全性をたかめ分離配線の取扱を良好にすることができる。
さらに前記ケーブルアダプタが、シール部をシール部表面からドロップケーブル挿通孔まで薄肉構造に形成したことで、キャリアチェンジ時に現場で薄肉部を切り裂いてドロップケーブルを反対側の端面シールに挿着可能となって取扱易く、作業性を大幅に向上できる。
【発明を実施するための最良の形態】
【００２９】
本発明の実施例を図面を用いて説明すると、図１乃至図３に示すクロージャ本体１は、ヒンジ部１１  で一体に連接され、開閉自在に構成されたスリーブからなり、光ケーブルＡをシール部材を介して挿入する端面板２が両端に着脱自在に備えてある。（図１乃至図３）
前記光ケーブルＡは前記端面板２を経てクロージャ本体１内に導入、導出され、ケーブルＴＭ把持具３（ケーブルテンションメンバ把持具）によって把持されていて、光ケーブルＡの主心線ａ例えば主ケーブルから引き落とされる単心線またはテープ心線は、主心線ａの接続部となるコネクタＣを複数配備できる成端盤１１を経由して、さらにスプリッタモジュールＢを介して接続されるテープ心線ｂと、ＤＳ／Ｒ・ＴＤケーブルｃ及びドロップケーブルｄ，ｄ１  と接続されて、それぞれコネクタ接続を可能にし構成にし、これら各接続部のコネクタＣと、余長心線部とを整理する成端トレイ４，５，６とスプリッタトレイ７とが複数配備されている。（図２乃至図９）
これらの成端トレイとしては、図７乃至図９に示す如き光ケーブルＡの主心線ａの接続部を収納するコネクタ収納部４１  ，５１  ，６１  と、心線余長を収納する心線余長収納部４２  ，５２  ，６２  とをそれぞれ備えた下部伸ばし成端トレイ４、ＤＳ／Ｒ・ＴＤ成端トレイ５及びドロップ成端トレイ６をトレイ固定ベース１０に複数重ねた状態で、クロージャ本体１内に内装して光ケーブル接続用クロージャとしてあり、さらにスプリッタモジュールＢを収納するスプリッタトレイ７並びにセンタートレイ８と、光ケーブルＡの主心線ａの接続部Ｃのコネクタを複数配備できる成端盤１１とを付設し、必要に応じて主心線ａの接続部を収納する接続部収納部９１  と心線余長を収納する心線余長収納部９２  とを備えた接続トレイ９がクロージャ本体１の下部或いは上部に内装してある。（図１０）
なお、前記下部伸ばし成端トレイ４およびＤＳ／Ｒ・ＴＤ成端トレイ５は、図７（ｂ）のように二層構造、例えば下部伸ばし成端トレイ４の中央にＤＳ／Ｒ・ＴＤ成端トレイ５を積層して組み込んで枢支部５３  によつて回動自在に設けてあるが、必要に応じ別個に配置して用いることもできる。
また、前記下部伸ばし成端トレイ４、ＤＳ／Ｒ・ＴＤ成端トレイ５及びドロップ成端トレイ６の成端トレイでは、コネクタ収納部４１  ，５１  ，６１  に必要に応じコネクタＣを挿脱自在に嵌合できるダミーソケット４６を取り付けて、該ダミーソケット４６にユーザーの使用中止配線のコネクタＣを嵌合して納めておく形態で使用することもできる。（図８ａ〜図８ｃ）
【００３０】
前記光ケーブルＡの主心線ａの接続部となるコネクタＣは、着脱自在のコネクタソケットおよびコネクタプラグからなり、該コネクタＣによって成端盤１１とスプリッタトレイ７とがコネクタ接続可能に接続され、さらにスプリッタトレイ７から分離された出力心線ａ１  を成端トレイ例えば、下部伸ばし成端トレイ４、ＤＳ／Ｒ・ＴＤ成端トレイ５及びドロップ成端トレイ６とにコネクタ接続可能に接続される。また、ＳＳ接続の場合には成端盤１１から直接にドロップケーブルｄ１  として落として用いることもできる。
さらに、前記成端トレイ４，５，６並びにスプリッタトレイ７は、それぞれ複数重ねた状態でトレイ固定ベース１０に設けたトレイ収納ケース１２の摺動自在のトレイ取付部１３に、枢支部によって回動自在に枢着してクロージャ本体１内に内装されて配線処理作業がし易くできるようになっている。（図１１および図１２）
【００３１】
前記心線ａに接続するコネクタＣは、成端盤１１のコネクタ取付部１４に複数設けてコネクタ接続を可能にした構成としたものをクロジャー本体１の端面板２に近寄せて左右に配備し、また前記スプリッタトレイ７は、単心線ａを接続するコネクタＣを複数設けたスプリッタモジュールＢが左右に選んで嵌入配備されてコネクタ接続を可能にしたスプリッタトレイ７に構成したものを２段配備すると共に、該スプリッタトレイ７から分離される出力心線ａ１  に接続するコネクタＣを複数配備してコネクタ接続を可能にした下部伸ばし成端トレイ４、ＤＳ／Ｒ・ＴＤ成端トレ５及びドロップ成端トレイ６に構成したものを多段に重ねた状態で配備して、そして各成端トレイ４，５，６をそれぞれヒンジ部によってトレイ取付部１３に回動自在に設けてクロージャ本体１内に変位自在に斜設した構成の光ケーブル接続用クロージャとした。例えば、前記スプリッタトレイ７及びドロップ成端トレイ６を含む成端トレイ４，５、６が、前記固定ベース１０に備えられたトレイ取付部１３に回動自在に階段状にずらせた多重状態下で傾斜保持するように配備されている。
【００３２】
前記成端盤１１としては、ケーブル廻し保持する内側ガイドと外側ガイドを左右に有し、湾曲側面を持った断面コ字状部材からなり、該湾曲側面に沿ってアール状ガイド１５を軸受１５１  によって支軸１５２  に連結し、該支軸１５２  を中心として回動自在に枢支し、上面部にセンタートレイ取付部１４１  と、下面部にコネクタ取付部１４と、ガイド１５の閉鎖固定並びに開放受け止めとして用いられる係止ロック部１４２  とを備え、該センタートレイ取付部１４１  に固定されたセンタートレイ８内に導入される心線ａから分離した単心線を前記アール状ガイド１５によって下方に沿わせて落とし込み保持して、単心線に接続されたコネクタＣを筒状のコネクタソケット１６を介して前記コネクタ取付部１４に着脱自在に備えてある。
この成端盤１１は、前記トレイ固定ベース１０に固定されるが、前記クロージャ本体１内の端面板２に臨んで設けられ、導入、導出される光ケーブルＡの心線の接続に便宜よく対応するようになっている。（図３および図４）
なお、前記アール状ガイド１５は、先端に係止部を備えて成端盤１１に着脱自在に係止できるようにし主心線ａの押さえ込みが確実にできるようにするのがよい。
【００３３】
前記成端盤１１のコネクタ取付部１４は、コネクタＣを挿脱自在に内装できるコネクタソケット１６を嵌入しうる把持溝となる格子状のガイドリブ２４と、該ガイドリブ２４，２４間に形成された嵌合孔２５と係止孔２６に係止しうる係止片１７をコネクタソケット１６に対応して設けられていて、コネクタソケット１６を着脱自在に配備できる構成とするのがよい。（図５及び図６）
即ち、コネクタＣを筒状のコネクタソケット１６に挿脱自在に内装してコネクタ脱着作業が簡便にできるようにするため、取付板に格子状にガイドリブ２４を複数突設し、該ガイドリブ間の取付板に嵌合孔２５を一対設け、該嵌合孔２５に係止しうる係止片１７，１７１  を備えたコネクタソケット１６を着脱自在に配備するか（図５）、或いはガイドリブ２４間の取付板に嵌合孔２５と係止孔２６を設け、嵌合孔２５と係止孔２６に係止しうる係止片１７を備えたコネクタソケット１６を着脱自在に配備し（図６）、このコネクタソケット１６内にコネクタＣを挿脱自在に配備すればよい。
【００３４】
また、前記コネクタソケット１６を着脱自在に配備するには、コネクタソケット１６を取付板に沿って把持溝となるガイドリブ２４間にスライドさせつつ嵌入して係止片１７を嵌合孔２５に嵌め込んで、係止片１７１  を先方の嵌合孔２５に圧入するか係止片１７の先端部を係止孔２６に圧入ロックすればよく、さらに該コネクタソケット１６の両外側面にガイド溝２７を形成し、前記ガイドリブ２４の凸条に嵌入しスライドさせて固定し、コネクタソケット１６の脱落防止に役立たせてある。（図５及び図６）
なお、ドロップケーブルｄ，ｄ１  などの振動対策として、ドロップケーブルを固定するため、前記コネクタソケット１６に挿入したコネクタＣを固定するためコネクタ固定部材２８がコネクタ固定ベース２９に摺動自在に付設されて、成端盤１１のコネクタ取付部１４に対設され、該コネクタ固定部材２８によって、前記コネクタＣの一端を嵌挿保持して成端盤１１に装着されたコネクタＣの取り付けセット後の安全性が容易に確保でき各トレイへ安定配備ができるようになっている。（図３）
【００３５】
前記スプリッタトレイ７としては、複数のコネクタを備えたスプリッタモジュールＢをトレイ内の左右両側にあるモジュール取付部７１  内に選択して着脱自在に設けられるもので、さらに心線余長を収納する余長収納部７２  を有し心線導出部を左右に振り分けて形成したトレイとの上下二層のトレイとをヒンジ部７４  によつて開閉自在に連結し係止部７５  で閉止できる構成とし、枢支部７３  で前記トレイ取付部１３に回動自在で着脱自在に設けてある。（図９）
なお、前記スプリッタトレイ７は、前記成端盤１１に接続する心線ａにプラグを設けられると共に、各成端トレイ４，５，６に接続される複数の心線にソケットを設けたスプリッタモジュールＢが配備されてコネクタ接続を可能にしたスプリッタトレイ７に構成するのがよい。
【００３６】
これら前記成端トレイ４，５，６は、コネクタ収納部４１  ，５１  ，６１  を左右に分けて複数備え、心線余長を収納する心線余長収納部４２  ，５２  ，６２  を形成して、前記スプリッタトレイ７よりの心線を導入部で固定する把持具ベース１８または係止片部１８１  を必要に応じ設けて、下部伸ばし成端トレイ４と、ＤＳ／Ｒ・ＴＤ成端トレイ５と、ドロップ成端トレイ６として、それぞれ枢支部４３  ，５３  ，６３  によってトレイ取付部１３に回動自在に枢着し、各成端トレイ４，５，６を水平状態に保つ櫛歯１８２  が多段にあるトレイ収納ケース１２に複数重ねた状態で配備するのがよく、また、前記トレイ取付部１３をトレイ収納ケース１２に摺動自在に装備して成端トレイ４，５，６とスプリッタトレイ７とを共に一括して前後にスライドできるように構成してあって、スライドすることでトレイ作業時の領域を確保し、前方に引きだしてからトレイを階段状にずらせた多重状態下で傾斜保持するようにするのが好適例である。（図１１及び図１２）
このように前記トレイ取付部１３をスライドベース１３１  を介してトレイ収納ケース１２に摺動自在に備えれば、成端トレイ４，５，６およびスプリッタトレイ７が、クロージャ本体１のスリーブを拡開した際にスリーブ外側に引き出して開くことができトレイ作業が容易に行うことができる。
【００３７】
さらに、前記成端トレイ４，５．６としては、最大４心収納でき、心線の長手方向に複数カ所のコネクタ取付部材、例えば格子状のリブを突設したコネクタ収納部４１  ，５１  ，６１  と、心線余長を収納する心線余長収納部４２  ，５２  ，６２  とをそれぞれ備えたものであって、接続失敗を考慮してコネクタ接続部を任意の位置に固定することが可能で、さらにコネクタ脱着時に心線の引っ張りや屈曲の発生を抑制するストッパ構造の押さえ片を形成し、ＳＳサービス（専用線ＣＢフレッツ  ベーシック）を要望する加入者へ引き落しするため単心ケーブルとドロップケーブルまたは発信ケーブルのＤＳケーブル（心線よってＤＳトレイへ接続）とのコネクタよび心線余長を心線余長収納部４２  ，５２  ，６２  に保護する。
またドロップ固定部品用の把持具ベース１８または係止片部１８１  をトレイ両端部または片側部に設けて、左右いずれの側からでもドロップケーブルを引き出せるようにし、しかも心線着脱時に他心線への影響をなくすために成端トレイ４，５．６の左右の心線導入口１９を心線毎の個別通路構造として心線の引っ張りや屈曲の発生を抑制する安全な構成としてある。
【００３８】
また光ケーブル接続用クロージャに備えられる前記スプリッタトレイ７は、８分岐スプリッタモジュールトレイとしてあって、ＰＯＮサービスを要望する加入者へ引き落すために単心ケーブルとＳＰ入力線の主心線ａおよびＳＰ出力線の心線ａ１  とドロップケーブルｄまたはＤＳケーブルｃ（心線よってＤＳトレイへ接続）とのコネクタ接続部および心線余長ならびにスプリッタモジュールＢを収納保護するものであって、複数のコネクタＣを備えたコネクタソケットのあるスプリッタモジュールＢをスプリッタトレイ７内にモジュール取付部７１  例えば、周壁リブ或いは爪部とリブとによって着脱自在に設けてあり、またドロップ成端トレイ６では、把持具固定用の把持具ベース１８をトレイ両端部に設けて、左右いずれの側からでもドロップケーブルｄを引き出せるようにし、しかも各成端トレイ４，５，６はそれぞれＳＰ入力線のコネクタＣが左右に振り分けて固定できるコネクタ収納部４１  ，５１  ，６１  を備えた構成とすると共に、心線着脱時に他心線への影響をなくすためにトレイの左右の心線導入口１９を心線毎の個別通路構造として心線の引っ張りや屈曲の発生を抑制するストッパ構造のガイドを形成して安全な構成とした。
【００３９】
さらに、前記成端トレイ４，５，６としては、前記スプリッタトレイ７および／或いは接続トレイ９からの出側心線である心線とＤＳ心線との接続用のコネクタＣを複数設けたコネクタ接続部および心線余長を収納保護するものであって、加入者対応によりその都度、増設可能とするコネクタ固定構造でありＤＳ心線側の接続失敗余長吸収構造で、左右コネクタ方向への心線振り分けできるようにし、ＤＳ心線側のコネクタを引き抜く際に心線余長に影響を与えないようにストッパ構造の係止片部１８１  で安全な構成としてある。
【００４０】
そして該ドロップ成端トレイ６が、枢支部６３  によって回動自在で、切れ目のある軸受部に着脱自在にトレイ取付部１３に設け、各心線の接続回数により生ずる心線余長差を吸収する心線余長収納部６２  を形成し、さらにコネクタ脱着時に心線の引っ張りや屈曲の発生を抑制するストッパ構造のガイドを設けた。
またドロップ把持具固定用の把持具ベース１８をトレイ両端部に設けて、左右いずれの側からでもドロップケーブルｄ，ｄ１  を引き出せるようにし、しかもＳＰ入力線のコネクタ接続部が左右に振り分けて固定できる構成とすると共に、心線着脱時に他心線への影響をなくすためにトレイの左右の心線導入口１９を心線毎の個別通路構造として心線の引っ張りや屈曲の発生を抑制するストッパ構造のガイドを形成して安全な構成とした。（図７ａ）
【００４１】
なお、テープ心線ケーブルルートにクロージャを設置して単心運用するためにクロージャ中心点で切断したテープ心線と割れ入れ心線との接続部と心線余長との収納部を形成した下部伸ばし成端トレイ４は、例えば図７ｂに示す如き片側最大４接続分の固定が可能で、コネクタＣを保持できるコネクタ収納部４１  と心線余長を吸収する心線余長収納部心線余長収納部４２  を形成して、左右いずれの側からでもテープ心線並びに割り入れ心線を引き出せるようにし、ＩＮ側或いはＯＵＴ側に振り分けて固定できる構成とする。なお、心線を導出入する心線導出入部１９には心線押え片からなる係止片部１８１  を回動自在に設けて心線を的確に保持するようにしてある。
また、この下部伸ばし成端トレイ４は、テープ心線ケーブルルートにクロージャを設置して単心運用するためにクロージャ中心点で切断したテープ心線と割り入れ心線との接続部と余長心線を収納保護するために用いられるが、主ケーブル側テープ心線余長をトレイ内に収納可能とし上部、下部側にこのトレイを配備して使用可能とするために左右対称形態とし、４心テープ分の出口を個別ルートに分割することで識別容易なものとして用いられる。（図７ｂ）
【００４２】
各トレイは、合成樹脂により一体成形またはおのおの成形された成形品であり、略長方形状の外形を有し、内面側が同一或いは相似形状に形成されたもので、各トレイをトレイ固定ベース１０に載置或いはトレイ取付部１３にヒンジ部によって装着して前記クロージャ本体１内に複数一括して固定されるものである。
【００４３】
前記接続トレイ９を除きスプリッタトレイ７並びに前記成端トレイ４，５，６は、フレームからなる前記トレイ固定ベース１０に取り付けたトレイ収納ケース１２に多重状態下で水平保持するように配備されているものであって、各成端トレイ４，５，６およびスプリッタトレイ７をそれぞれ枢支部４３  ，５３  ，６３  ，７３  によって切れ目のある軸受部に着脱自在で回動自在にトレイ取付部１３に嵌着されている。（図１２）
このトレイ取付部１３は、トレイ収納ケース１２に段状にずらせた櫛歯１８２  の先端近くまで移動できるように摺動自在に移動できるように備えて、スライドすることでトレイ作業時の領域を確保し、前方に引きだしてから各トレイを階段状にずらせた多重状態下で開放し傾斜保持するようにするのがよく、収納時には櫛歯１８２  上に各トレイを水平状態に保って固定される。
【００４４】
前記クロージャ本体１のスリーブの両端壁嵌合部に嵌装された端面板２とを備えたクロージャ１の例で説明すると、端面板２にスペーサ（図示せず）を介して、主幹線光ケーブルＡおよび支持線が貫通されてケーブルＴＭ把持具３、支持線把持具でそれぞれ固定され、かつ、該ケーブルがケーブル把持具に接続連結されている。また、前記主幹線光ケーブルＡから導出された主心線ａは、接続トレイ９、スプリッタトレイ７の他に下部伸ばし成端トレイ４、若しくは成端トレイ４とＤＳ／Ｒ・ＴＤ成端トレイ５とを併用した形態およびドロップ成端トレイ６などに処理されて引き落とし用のケーブルとして端面板２から導出されてドロップケーブルｄ，ｄ１  或いはＤＳケーブルｃ、テープ心線ｂとして配線される。（図１および図２）
【００４５】
図１の光ケーブル接続用クロージャをテープ心線ケーブルルートに設置し、単心運用するためにクロージャ内で光りケーブルＡでのクロージャ配線では、図２に示すようにセンタートレイ８で分離された主心線ａを成端盤１１を経てスプリッタトレイ７並びに下部伸ばし成端トレイ４、ＤＳ／Ｒ・ＴＤ成端トレイ５及びドロップ成端トレイ６に接続されるが、各トレイがコネクタ接続を可能の構成にするのに、端末にコネクタプラグ並びにコネクタソケットのある心線ａ，ａ１  ならびにドロップケーブルｄ，ｄ１  、ＤＳケーブルｃによって接続自在の構成として光ケーブルの心線接続、収納がモジュール化した全コネクタ化したものとしてある。
【００４６】
また、前記クロージャ本体１は、ヒンジ部１１  で連続され二つ割りにできるスリーブによって構成とし、開拡するスリーブの開放状態を調節できるスリーブ開放保持具３０例えば、図３の如きリング３１及びフック３２の係止部を端末に有する連結機構を介して連継できてクロージャ本体１を締めつけクロージャの内部密封性を維持できるようにするのがよい。この場合、スリーブ開放保持具３０を用いれば作業時にスリーブを外すことなく作業側の開放状態を維持して、その開き具合も連続的に調整可能であり、作業側に障害となる部材をなくして取扱易い形態で用いられるようにするのもよい。
【００４７】
更にクロージャ本体１の両端面に備えられる端面板２にはケーブルシールアダプタを着脱自在に装着して用いるのがよい。このクロージャ本体１に備えられる端面板２は、光ケーブルＡを挿入するケーブル挿通路２１のある延長側壁部２１  を設け、各種ケーブルを挿入するケーブル挿通路２２のある部分とを二つ割りで開閉自在のケーブルアダプタ２０で構成し、該ケーブルアダプタ２０を挟持枠片２３によって着脱自在に装着してクロージャ本体１に組み込まれる。（図１３）  該ケーブルシールアダプタ２０は、クロージャに収納したケーブル際の防水機能の端面シールに装着使用し、各種ケーブルを挿入するスリットとシール片とのある心線挿通路を複数設けもよく、また任意のコネクタ付きケーブルを着脱可能とした構造や、各ケーブル導入口に薄膜を付設したスリットで防水構造に構成したものを用いて安全性を図ったものを用いるのがよい。
なお、前記クロージャ本体に備えられる端面板２は、光ケーブルＡを挿入する
ケーブル挿通路のある延長側壁部２１  を備え、ドロップケーブル挿入孔のあるシール部をシール部表面からドロップケーブル挿通孔２２  まで薄肉部２３  となっている薄肉構造に形成し、二つ割りで開閉自在のケーブルアダプタを挟持枠片によって着脱自在に装着したことで、シール部をシール部表面からドロップケーブル挿通孔まで薄肉構造に形成したことで、キャリアチェンジ時に現場で薄肉部を切り裂いてドロップケーブルを反対側の端面シールに挿着可能となって取扱易く作業性を良くするようにするのがよい。
【００４８】
さらに、前記スプリッタトレイ７およびドロップ成端トレイ６を含む成端トレイ４，５，６をそれぞれ回動自在に取り付けるためのトレイ取付部１３は、前記トレイ固定ベース１０に配備されるが、各トレイに設ける枢支部或いはヒンジ部のピン軸が嵌入される軸受部は、例えば外方に開口するガイド溝を形成し、該ガイド溝から前記ピン軸に形成した断面狭巾部で挿脱できるようにして、トレイ取付部１３に着脱自在に配備されるピン軸の断面巾広部で係止支持されるし、開口部において断面狭巾部の所定位置で、ピン軸が外れ或いは挿入できるようにするのがよい。
【００４９】
なお、複数の前記成端トレイ４，５，６やスプリッタトレイ７をトレイ取付部１３に着脱自在にするには、単独または前後方向に交互に逆に段積み装着した積層収納したトレイとして用いてもよい。この場合、トレイ本体に突設されたピン軸のある枢支部に係合する軸受部または取付アーム部は、トレイ取付部の両側対称位置に備えればよく、該トレイをクロージャ本体１の形態では、前後いずれの方向でも着脱自在に装着できる構成とすることができ、さらにクロージャ本体１内での各トレイをスライダによって移動位置させて心線接続作業が簡便にできるようにすることもできる。
【００５０】
前記各トレイに形成した心線導出入部には、分離スリットのある心線挿通孔を設けた弾性保持部材（図示せず）を圧入嵌合して心線の支持を確実にしてあり、この弾性保持部材は、心線径或いは心線数に応じた挿通孔あるナイロンチューブや分離スリットのあるスポンジを選んで用いられる。
さらに前記コネクタ収納部、スプリッタ収納部および余長心線収納部に必要に応じガイドリブ及び側壁を選んで区画してもよいし、心線の浮きを阻止する心線押え片或いは係止爪を一体に成形して、余長心線や心線接続部となるコネクタを各トレイ内に確実に保持できるようにするか、またコネクタ収納部或いは心線余長収納部を各トレイ毎に分離整理収納し、ケーブル挿入部からファイバ心線の曲げが極少で心線収納時のねじれをも防止でき、安全かつ高密度収納で高信頼性が得られるようにすることが配慮される。
【００５１】
なお、前記センタートレイ８では、左右両端形成した心線導出入部８１  が必要に応じ格子状リブを突設して心線毎の個別通路構造として心線の引っ張りや屈曲の発生を抑制するストッパ構造のガイドに形成して、さらに心線ａ１  を抱持して支持するフラップ３３を取り付けるためのフラップ取付孔８２  を複数形成したある。（図４ａ）
このフラップ取付孔８２  には、心線から単心分離した単心線を結束し得るフラップ３３を取り外し自在に配備して単心線の心線保護と心線識別を図れるようにしてあるが、各フラップ３３が整列固定さていると任意のフラップ３３に結束された残単心線によりドロップする場合、他のフラップ３３に結束された単心線に影響ないように取り付け取り外しが可能となって安全に作業ができる。
また、前記フラップ３３は、図１４に示すように心線嵌挿溝３４をそれぞれ有する二つ折りの抱持片連接したものからなり、突き合わせ面に対向して凹凸からなる係止部３５を設けてあり、連接部から折り曲げ出力心線ａ１  を抱持して支持できるように構成し、さらに前記フラップ取付孔８２  に挿入するフランジ付き突起３６が突設され、該突起３６がセンタートレイ８のフラップ取付孔８２  に挿入され、センタートレイ８の表面にスライドさせて着脱自在に固定でき、フラップ取り外しには、操作片３７でフラップ３３を反対方向に戻して移動すれば外すことができる。
【００５２】
前記スプリッタトレイ７においてスプリッタ処理を行う際には、スプリッタトレイ７とドロップ成端トレイ６内において、光ケーブル心線とスプリッタおよび、スプリッタとトロップケーブルの接続ができるようにしたり、スプリッタ出線の処理までを各トレイで対応するようにすることが望ましい。
いずれにしても、前記スプリッタトレイ７とドロップ成端トレイ６は、多段状のトレイ取付部１３に回動自在に保持され、図１に示すように二つ割りのスリーブからなる円筒状のクロージャ本体１内に組み込まれて用いられ、該クロージャ−本体１では、前記配線処理ガイドによりテープ心線とドロップ心線との動きを分離させるのがよい。
【００５３】
前記ドロップケーブルｄ，ｄ１  のドロップ心線によって引き落とし分岐配線するには、両端に嵌装された端面板２を備えたクロージャ１の例で説明すると、端面板２にスペーサを介して、主幹線ケーブルＡが貫通されてケーブル把持具３で固定され、かつ、該ケーブル把持具３にケーブルのテンションメンバが接続連結されている。この主幹線ケーブルＡから分岐したテープ心線を主心線ａと、引き通し心線とに分岐し、該引き落し心線がコネクタＣの接続部を介し、成端盤１１を経由して前記スプリッタトレイ７とドロップ成端トレイ６とに挿入されて、配線接続されて用いられる。
【００５４】
以上の構成からなるスプリッタトレイ７或いはドロップ成端トレイ６において、テープ心線を単心線に分離したうち選ばれた引き落し心線は成端盤１１を介して、スプリッタトレイ７を経由してドロップ成端トレイ６のいずれか一方の心線導入口１９から入ると、心線通路を通ると共に心線余長は心線余長収納部内に入って処理される。そして出力心線ａ１  を用いてコネクタプラグによって各トレイのコネクタソケットに接続されて、ドロップケーブルｄ，ｄ１  に接続され、必要な引き落し配線が可能となる。
【００５５】
このように、光ファイバケーブルを加入者宅等に引き落とす際に、トレイ各層が開く構造であると共に、単心に分岐するのに心線導入口の一方側から単心線を入れる場合に、心線余長収納部に収納したときは、他方の心線導入口側に出すことができる。
なお、心線導入口の一方側から単心線を入れて心線余長収納部に収納する場合、単心線の巻回の仕方によって、両方の心線導入口のいずれの側にも出すこともでき、かつ心線の曲率を小さくすることなく（過負荷を加えることなく）、入口側となった心線導入口と同一の又は異なる心線導入口を出口側として出すことができる。これにより、心線の出入口側を自由に選んで、光ケーブル用クロージャ内での単心線の配線の便宜を図ることができる。
【００５６】
ここで、心線導入口には、ドロップ把持具或いは貫通穴が形成されたスポンジゴム等の弾性変形可能な弾性保持部材が把持溝に押し込む方式で設けられ、心線が保持されてドロップ成端トレイ６内に入り、かつドロップ成端トレイ６外に出る。  このようにドロップ把持具或いは弾性保持部材を心線導入口に介在させれば、心線が心線導入口を通るときに、心線がトレイ本体に擦れることや、或いは引張衝撃等を確実に防止することができる。
【００５７】
そして、前記スプリッタトレイ７や各成端トレイ４，５，６は、クロージャ本体１内のトレイ収納ケース１２にあるトレイ取付部１３に挿入して順次積み重ねられるようにして実装される。この積み重ねには、トレイ収納ケース１２で固定化し、重なり合う心線接続収納トレイ同士をネジ止め等することなく積層連結することができ、高密度収納構造の光ケーブル接続用クロージャとすることができる（図１参照）。
【００５８】
さらに、前記成端盤１１において振動対策としてドロップケーブルｄ，ｄ１  を固定するため、コネクタ固定部材２８とコネクタ固定ベース２９を配備してあるが、このコネクタ固定部材２８としては、図１５のようにコネクタ挿入凹部３８と心線挿通溝３９とを備えた受け部４０にコネクタ固定ベース２９に係合する断面逆Ｔ字状の連結部４１とストッパ片４２とを一体に形成した部品を用い、コネクタＣの一端即ちコネクタソケット端部を前記受け部４０に挿入して支え、コネクタ固定ベース２９の把持溝４３に連結部４１をスライドして押し込み嵌入し、ストッパ片４２でロック固定することで、ドロップケーブルｄ，ｄ１  を安全に固定化することができる。
また、前記コネクタ固定ベース２９は、一端に把持溝４３を櫛状に複数形成し、この把持溝４３にコネクタ固定部材２８を着脱自在に立設する植込部４４があって、該把持溝４３に前記コネクタ固定部材２８の断面逆Ｔ字状の連結部４１をスライドして入れられ立設するようになっていて、他端に取付部４４を延設し、この取付部４４でトレイ固定ベース１０に連結して前記成端盤１１にコネクタ固定部材２８を対向配備できるように構成して、コネクタＣのあるドロップケーブルｄ，ｄ１  を確実に固定維持できるようにするのがよい。（図１６）
【００５９】
これら積み重ねた各成端トレイ４，５，６やスプリッタトレイ７は、それぞれ個別にトレイ取付部１３によって前方に移動可能で、引き出されたトレイの各層を所定の角度で開いて配線でき閉じてから引き戻し固定化できる構造としてあって、各トレイの出し入れや各層を開閉することによってトレイ内に収納された心線に損失などの影響が生ずることなく任意のトレイを取り出すことができる。
【００６０】
また、この前記スプリッタトレイ７や成端トレイ４，５，６を多層トレイとした場合には、Ｎｏ符号の識別番号を順次つけて配線取扱いやすくしてあり、しかも、各トレイは、トレイに内装された際に積層したトレイ間での変形しないように配慮されている。
この場合、多段に積み重ねられたドロップ成端トレイ６の中から所望のドロップ成端トレイ６をトレイ取付部１３から外したり、トレイ取付部１３を移動して引き出せ、各トレイ間の重ね合せ面を開くことができて、トレイの内面側を露出されて収納心線の点検、修理、接続の各作業が簡便に行うことができる。
さらに分離心線使用の場合には、この単心線とドロップケーブルｄ，ｄ１  とを接続後にトレイ収納するが、ドロップ成端トレイ６に導入されたテープ心線は弾性保持材で固定されＮｏ．１〜４までに分岐されそれぞれのトレイに整理配線されてトレイ収納ケース１２に収納され、トレイ固定ベース１０に固定された状態でクロージャ本体１内に保護されて用いられる。
【００６１】
前記弾性保持部材は心線径或いは心線数に応じた挿通孔のあるものを選んで用いられ、さらに接続部収納部及び心線余長収納部は、必要に応じガイドリブ及び側壁を選んで区画してもよいし、心線の浮きを阻止する心線押え片或いは係止爪を一体成形して余長の心線や心線接続部となるコネクタＣをドロップ成端トレイ６内のコネクタ収納部６１  に確実に把持溝に押し込み方式で保持できるようにし、各スプリッタトレイ７や他の成端トレイ５，４も同様にしてトレイ３毎に心線を分離整理収納し、ケーブル挿入部からファイバ心線の曲げが極少で心線収納時のねじれをも防止でき、安全かつ高密度収納で高信頼性が得られるようにする。  
【００６２】
これら実施例で用いられるコネクタ接続を可能にした構成の各トレイ、例えばスプリッタトレイ７或いはドロップ成端トレイ６並びにＤＳ／Ｒ・ＴＤ成端トレイ５および下部伸ばし成端トレイ４などを位置変換して配線処理できるので、光需要に際して任意のクロージャにて本線から必要な単心線のみを引落としたり、本線に戻したりすることが容易にでき、多心光ファイバテープ心線から光ファイバ単心線に分離して１心線のみ又はそれ以上を選んで引き落しケーブルに接続して、他は引き通し光ファイバ単心線として下部に送り込めるように保有しておくことが可能となる。また接続作業に必要な余長心線は、任意のドロップ心線用トレイを開いて、或いは取り出したりして接続部と共に収納しておけ、空いている心線はその後のユーザーの加入など必要な単心線として安全に用いることができる。
【００６３】
またこの実施例で付設される成端トレイ４，５，６およびスプリッタトレイ７が、前記トレイ収納ケース１２にスライドベースを介して摺動自在に備えられるものであって、各トレイを単心分離作業スペースより移動回避させて、単心分離作業時での導線が見やすく配線作業を容易で迅速に処理することができ、また単心線を安全に保護することができるし、各トレイを自由に取付位置可能で心線の引き落しができるので、架空ループ配線にも容易に対応可能であると共に、一旦分岐した心線を再度本線に戻すこともできるなど、単心の分離、保護、収納作業を大幅に向上できる。
【００６４】
さらにこの実施例によれば、成端トレイ４，５，６およびスプリッタトレイ７が、前記トレイ取付部１３に回動自在に設け、トレイ収納ケース１２に多重状態下で保持するように配備されている構成としたので、クロージャのコンパクト化に寄与し、さらに機能要求に対して必要となる各トレイを簡便に追加増設、撤去できるようにして単心線ごとの接続機能とドロップ機能とを統合して安全に整理することができるし、架空乃至地上ケーブルと、ドロップ光ファイバケーブル或いは集合ドロップ光ファイバケーブルの接続のために有効に用いられ、光ケーブルの接続部を保護して、心線余長を収納し、心線の使用効率を高め単心運用と、作業施工性にも優れた光ケーブル接続用クロージャにすることができる。
【００６５】
さらに、実施形態の成端トレイ４，５，６およびスプリッタトレイ７などのトレイ構成では、コネクタ接続を可能にした構成であって、各トレイでのモジュール化を含めたオールコネクタ化により接続作業や心線収納作業並びに接続状況の点検補修などの保守作業が容易に実施できて施工性に優れ、単心線ごとの接続機能とドロップ機能とを統合して整理収納並びに心線ごとの増減も簡単にで、増設も楽できわめてコンパクトに接続部を収納することができるなど取扱い簡便な光ケーブル接続用クロージャとすることができる。
しかも、複数枚重ねられた各トレイは光ケーブルの伝送特性に悪影響を与えることなく、光ケーブルの接続や切り替え或いは分岐接続作業や再収集作業が容易に実施でき、心線接続作業後に任意の収納トレイを開いて収納されている光ファイバ心線を迅速に取り出すことができ、心線識別も容易で接続部の再調整や修理など簡単に行うことができ、その作業性を大幅に向上することができる。
【００６６】
また各トレイの組み合わせによれば、コネクタ付き心線を用いることによって心線の分岐、引込の際に、各成端トレイや接続トレイへの心線導出入の自由度があって作業上、心線接続部へのアクセスが簡便化でき、管理や組立分解作業も容易に行なえ、かつ高密度・高信頼性が得られる。殊に、接続したい空き単心線とドロップ心線とを接続して、残りは現用または空き心線として下部に送り込めるように保有しておくことが可能となるし、また空いている心線はその後のユーザーの加入など必要な単心線として使用することができ、かつ単心に分離した心線の保護とも簡易にすることができ、そのほか他の心線の接続作業や接続状況の点検、補修、確認、調整など作業をも統合してきわめて容易に行うことができる。  
【００６７】
さらにまた、この実例ではキャリアチェンジなどにより他機能のトレイに切替え必要とした場合、コネクタ接続およびケーブルシールアダプタを用いることにより、従来の融着接続及びメカニカルスプライス接続時に生じた心線切り縮み、心線余長処理作業をなくし簡便化を図ることができるようにした。
【図面の簡単な説明】
【００６８】
【図１】本発明の実施例の一使用状態を示し、（ａ）はその縦断面図、（ｂ）は横断面図、（ｃ）はＸ−Ｘ線における正面図である。
【図２】図１の例の配線系統説明図である。
【図３】図１におけるＹ−Ｙ線における拡大正面図である。
【図４】図１の例で用いれる成端盤を示し、（ａ）はその一部の平面図、（ｂ）はその使用状態の正面図、（ｃ）は（ｂ）図の作用状態を示す正面図である。
【図５】図４（ｂ）におけるコネクタ取付部の一部を拡大して示し、（ａ）はＡ矢視図、（ｂ）はＢ矢視図、（ｃ）はその操作状態を示す平面図、（ｄ）はその操作状態を示す側面図、（ｅ）はその分離作用状態を示す側面図である。
【図６】図４（ｂ）における他の例のコネクタ取付部の一部を拡大して示し、（ａ）はＡ矢視図、（ｂ）はＢ矢視図、（ｃ）はその操作状態を示す平面図、（ｄ）はその分離作用状態を示す側面図である。
【図７】図１の例で用いられる成端トレイを示し、（ａ）はドロップ成端トレイの平面図、（ｂ）はＤＳ／Ｒ・ＴＤ成端トレイを下部伸ばし成端トレイに組み込んだ状態の平面図である。
【図８】図１の例で用いられる成端トレイを示し、（ａ）はドロップ成端トレイの他の使用例の平面図、（ｂ）は成端トレイの他の使用例の平面図、（ｃ）は（ａ）（ｂ）の例で用いられるダミーソケットの平面、両側面、底面図である。
【図９】図１の例で用いられるスプリッタトレイの分離状態を示す平面図で            ある。
【図１０】図１の例で用いられる接続トレイを示し、（ａ）はその平面図、（ｂ）はその側面図、（ｃ）はその正面図である。
【図１１】図１の例で用いられるトレイ収納ケースを示し、（ａ）はその平面            図、（ｂ）はその側面図である。
【図１２】図１１の例で用いられるトレイ取付部の作用状態を示し、（ａ）は            その移動操作時の正面図、（ｂ）そのその収納操作時の正面図であ            る。
【図１３】図１の例で用いられる端面板を示し、（ａ）はその正面図、（ｂ）            はその平面図、（ｃ）は一部を切断して示す側面図である。
【図１４】図１の例で用いられるフラップを示し、（ａ）はその展開状態の平            面図、（ｂ）はその側面図、（ｃ）はその底面図、（ｄ）はその正            面図である。
【図１５】図１の例で用いられるコネクタ固定部材を示し、（ａ）はその平面            図、（ｂ）はその正面図、（ｃ）はその側面図である。
【図１６】図１の例で用いられるコネクタ固定ベースを示し、（ａ）はその平            面図、（ｂ）はその側面図、（ｃ）はその正面図、（ｄ）はＺ−Ｚ            線における縦断面図である。
【符号の説明】
【００６９】
Ａ    光ケーブル
Ｂ    スプリッタモジュール
Ｃ    コネクタ
ａ    主心線
ａ１    出力心線
ｂ    テープ心線
ｃ    ＤＳケーブル
ｄ，ｄ１    ドロップケーブル
１    クロージャ本体
２    端面板
３    ケーブルＴＭ把持具
４，５，６，  成端トレイ
４１  ，５１  ，６１      コネクタ収納部
４２  ，５２  ，６２      心線余長収納部
４３  ，５３  ，６３      枢支部
７    スプリッタトレイ
８    センタートレイ
９    接続トレイ
９    アダプタ
１０    トレイ固定ベース
１１    成端盤
１２    トレイ収納ケース
１３    トレイ取付部
１３１    スライドベース
１４    コネクタ取付部
１４１    センタートレイ取付部
１５    アール状ガイド
１５１    支軸
１５２    軸受部
１６    コネクタソケット
１７    係止片
１８    把持具ベース
１９    心線導入口
２０    ケーブルアダプタ
２１，２２  ケーブル挿通路
２３    挟持枠片
２４    ガイドリブ
２５    嵌合孔
２６    係止孔
２７    ガイド溝
２８    コネクタ固定部材
２９    コネクタ固定ベース
３０    スリーブ開放保持具
３１    リング
３２    フック
３３    フラップ
３４    心線嵌挿溝
３５    係止部
３６    突起
３７    操作片
３８    コネクタ挿入凹部
３９    心線挿通溝
４０    受け部
４１    連結部
４２    ストッパ片
４３    把持溝
４４    植込部
４５    取付部
４６    ダミーソケット
【図１】
0004786293.tif 000002
【図２】
0004786293.tif 000003
【図３】
0004786293.tif 000004
【図４】
0004786293.tif 000005
【図５】
0004786293.tif 000006
【図６】
0004786293.tif 000007
【図７】
0004786293.tif 000008
【図８】
0004786293.tif 000009
【図９】
0004786293.tif 000010
【図１０】
0004786293.tif 000011
【図１１】
0004786293.tif 000012
【図１２】
0004786293.tif 000013
【図１３】
0004786293.tif 000014
【図１４】
0004786293.tif 000015
【図１５】
0004786293.tif 000016
【図１６】
0004786293.tif 000017